(57)【要約】【課題】一つの水平光学モジュールで以って水平面の全部を覆い可能で、体積を小さくでき、部品の摩耗による測定の精確度の低下を防止でき、組付け及び修理を便利にすること。【解決手段】上端に水平光学モジュールが固定されている測定器具本体を有し、水平光学モジュールの周囲に複数の固定台が設けられており、互いに隣接している固定台の水平センタラインが互いに垂直しており、互いに隣接している鉛直光学モジュールの投射方向が互いに垂直しているように、これらの固定台に鉛直光学モジュールをそれぞれ設ける。【選択図】図２
0003141895.tif 000002
【実用新案登録請求の範囲】
【請求項１】
上端に水平光学モジュールが固定されている測定器具本体を有し、
前記水平光学モジュールの周囲に複数の固定台が設けられており、
互いに隣接している固定台の水平センタラインが互いに垂直しており、
互いに隣接している鉛直光学モジュールの投射方向が互いに垂直しているように、前記複数の固定台には鉛直光学モジュールがそれぞれ設けられていることを特徴とする、
測定器具。
【請求項２】
前記固定台の上端には斜面が形成されており、前記斜面にはモジュール係止穴が開設されており、前記鉛直光学モジュールが前記モジュール係止穴に嵌め込まれていることを特徴とする、請求項１に記載の測定器具。
【請求項３】
前記水平光学モジュールは光源を有し、前記光源の上端に台座が設けられており、前記台座にブラシレスモータが設けられており、前記ブラシレスモータの上に屈折レンズが設けられており、前記屈折レンズにより前記光源からの光線が屈折されて本来の経路と垂直するようになることを特徴とする、請求項１に記載の測定器具。
【考案の詳細な説明】
【技術分野】
【０００１】
本考案は測定器具に関し、特に、水平光学モジュールを回転するブラシレスモータを有し、一つだけの水平光学モジュールで水平面の全部を覆い可能であり、且つ固定台に鉛直光学モジュールを嵌合することにより組付け及び修理が便利になる測定器具に関するものである。
【背景技術】
【０００２】
従来のレーザ測定器具は、測定器具本体を有し、測定器具本体の上端にブラスを持つモータが設けられており、前記モータに水平光学モジュールを駆動する伝動子（例えばギアやベルトなど）が設けられている。
伝動子により水平光学モジュールは回転して全ての方向に投射可能である。
そうすると、工事期間中に、レーザ測定器具を水平及び鉛直の参考基準とすることができる。
【０００３】
前記した従来のレーザ測定器具には次のような欠点があった。
（１）従来のレーザ測定器具にブラシを持つモータが設けられている。
そのため、ギアやベルトなどを組付ける必要があるので、全体の体積が大きくなって、占有スペースがおおく必要となる。
（２）従来のレーザ測定器具によれば、炭素ブラシを定期的に交換することが必要であるとともに、ギアやベルトなどの伝動子を長期間に使用すると摩耗が発生するので、測定の精確度が低下する。
【考案の開示】
【考案が解決しようとする課題】
【０００４】
本考案の主な目的は、水平光学モジュールを回転するブラシレスモータを有し、一つだけの水平光学モジュールで水平面の全部を覆い可能であり、体積を小さくすることができ、部品の磨耗によって測定の精確度が低下することがなく、且つ固定台に鉛直光学モジュールを嵌合することにより組付け及び修理が便利になる測定器具を提供することにある。
【課題を解決するための手段】
【０００５】
本願の第１考案に係る測定器具によると、上端に水平光学モジュールが固定されている測定器具本体を有し、前記水平光学モジュールの周囲に固定台が複数に設けられており、互いに隣接している固定台の水平センタラインが互いに垂直しており、互いに隣接している鉛直光学モジュールの投射方向が互いに垂直しているように、これらの固定台には鉛直光学モジュールがそれぞれ設けられていることを特徴とする測定器具である。
【０００６】
本願の第２考案に係る測定器具によると、前記固定台の上端には斜面が形成されており、前記斜面にはモジュール係止穴が開設されており、前記鉛直光学モジュールが前記モジュール係止穴に嵌め込まれている。
本願の第３考案に係る測定器具によると、前記水平光学モジュールは光源を有し、前記光源の上端に台座が設けられており、前記台座にブラシレスモータが設けられており、前記ブラシレスモータの上に屈折レンズが設けられており、前記屈折レンズにより前記光源からの光線が屈折されて本来の経路と垂直するようになる。
【考案の効果】
【０００７】
本考案の測定器具によれば、次のような効果がある。
（１）ブラシレスモータによって水平光学モジュールを回転することにより、一つだけの水平光学モジュールからの光線が水平面の全部を覆い可能であり、ギアやベルトなどの伝動子を組付ける必要がなくなり、生産コストを低減することができるとともに、測定器具の体積を小さくすることができる。
（２）ブラシレスモータを使用するので、炭素ブラシを定期的に交換する必要がなく、またギアやベルトなどの伝動子を組付けることも必要なくなる。
そのため、部品の摩耗によって測定の精確度が低下することがなくなる。
【０００８】
（３）測定器具本体の上端に上盤が設けられており、上盤に複数の固定台が設けられており、これらの固定台に鉛直光学モジュールがそれぞれ設けられている。
そのため、組付け及び修理が便利になり、必要によって測定器具本体に適当な数量の鉛直光学モジュールを設けることができる。
（４）固定台に鉛直光学モジュールを嵌合し、隣接している固定台の水平センタラインが互いに垂直しているので、隣接している鉛直光学モジュールの投射方向が互いに垂直している。
これにより、各鉛直光学モジュールから投射する光線は、互いに垂直しており、且つ四方の鉛直面を覆い可能である。
【考案を実施するための最良の形態】
【０００９】
以下、本考案の実施の形態を図面に基づいて説明する。
（実施例１）
まず、図１を参照する。図１は本考案の実施例１の組合わせた状態の上体斜視図である。
本考案の実施例１の測定器具は、測定器具本体１と、水平光学モジュール２と、複数の鉛直光学モジュール３と、を含む。
測定器具本体１の上端には上盤１１が設けられており、図２に示すように、上盤１１の上面の周縁には複数のねじ穴１１１が等距離に開設されている。
隣接したペアになるねじ穴１１１の中心の連結ラインは、別の隣接したペアになるねじ穴１１１の中心の連結ラインと垂直（直交）している。
上盤１１には固定台１２が複数に設けられている。
固定台１２の上端には斜面１２１が形成されている。
斜面１２１には固定台１２を貫通するモジュール係止穴１２２が開設されており、鉛直光学モジュール３がモジュール係止穴１２２に嵌め込まれている。
固定台１２の側辺にはモジュール係止穴１２２を貫通するモジュール螺着穴１２３が複数に開設されており、モジュール螺着穴１２３に螺着子１２４をねじ込むと鉛直光学モジュール３を固定することができる。
固定台１２の底端には貫通孔１２５が複数に開設されている。
螺着子１２６は貫通孔１２５を挿通して上盤１１の上面に開設されたねじ穴１１１にねじ込むことができる。
そうすると、固定台１２が上盤１１の上面に固定される。
これらの固定台１２の水平センタラインが互いに垂直している。
また、測定器具本体１の底端にはベース１３が設けられており、ベース１３により測定器具本体１が直立姿勢に保持される。
【００１０】
水平光学モジュール２は、光源（例えば可視な光線を発生可能なレーザモジュール）を有する。
光源の上端に台座２１が設けられている。台座２１にブラシレスモータ２２が設けられている。
ブラシレスモータ２２の上に屈折レンズ２３（例えば五角プリズム）が設けられている。
屈折レンズ２３により光源からの光線が屈折されて本来の経路と垂直するようになる。
鉛直光学モジュール３は、鉛直な光線を投射する光源（例えば可視な光線を発生可能なレーザモジュール）を有する。
前記鉛直な光線は基準鉛直線として使用することができる。
鉛直光学モジュール３の側辺に透孔３１が開設されており、螺着子１２４が透孔３１及びモジュール螺着穴１２３をねじ込むことで固定台１２が固定される。
【００１１】
次に、図１乃至図４を参照しながら本考案の組付方法を説明する。
光源が上に向くように、測定器具本体１の上盤の中央に水平光学モジュール２を組付ける。
水平光学モジュール２の屈折レンズ２３は光源からの光線を水平な光線に屈折することができる。
水平光学モジュール２がブラシレスモータ２２に回転されるので、光源からの光線は水平面の全部を覆い可能である。
そして固定台１２のモジュール係止穴１２２に鉛直光学モジュール３をそれぞれ嵌め込んで、固定台１２のモジュール螺着穴１２３と、鉛直光学モジュール３の透孔３１とに螺着子をねじ込むと、鉛直光学モジュール３が固定台１２のモジュール螺着穴１２３に固定される。
固定台１２の斜面１２１の延長面が互いに垂直していることにより、各鉛直光学モジュール３の投射方向が互いに垂直している。
そのため、各鉛直光学モジュール３からの光線は、互いに垂直していて、且つ鉛直面の全部を覆うことが可能である。
次に、図１乃至図４を参照しながら本考案の使用状態を説明する。
まず、測定器具本体１の上端の水平光学モジュール２及び鉛直光学モジュール３を起動する。
このとき、ブラシレスモータ２２に駆動されて回転している水平光学モジュール２からの光線は、水平面の全部を覆い可能であるので、水平の基準として使用することができる。
また、各鉛直光学モジュール３からの光線は、互いに垂直しており、鉛直面の全部を覆うことが可能であるので、鉛直の基準として使用することができる。
さらに水平光学モジュール２及び鉛直光学モジュール３から投射される光線の精確度は極めて高いものとなる。
【００１２】
（実施例２）
図１乃至図５を参照しながら本考案の実施例２の測定器具を説明する。
本実施例２と実施例１の異なる箇所は、測定器具本体１の上端に設けられた上盤１１に更に固定台１２が設けられていることである。
隣接する鉛直光学モジュール３の投射方向が互いに垂直するように、固定台１２に鉛直光学モジュール３を固定する。
そうすると、各鉛直光学モジュール３からの光線が三つの方向の鉛直面を覆うことが可能である。
【００１３】
（実施例３）
また、図６に示すように、更に、測定器具本体１の上端の上盤１１に鉛直光学モジュール３を設けてもよい。
そうすると、各鉛直光学モジュール３からの光線が四つの方向の鉛直面を覆うことが可能であり、これにより、マーキングが更に便利になる。
【図面の簡単な説明】
【００１４】
【図１】本考案の実施例１に係る測定器具の組合わせた状態の上体斜視図である。
【図２】本考案の実施例１に係る測定器具の固定台及び鉛直光学モジュールの分解斜視図である。
【図３】本考案の実施例１に係る測定器具の固定台及び鉛直光学モジュールの組合わせた状態の斜視図である。
【図４】本考案の実施例１に係る測定器具の上面図である。
【図５】本考案の実施例２に係る測定器具の上面図である。
【図６】本考案の実施例３に係る測定器具の上面図である。
【符号の説明】
【００１５】
１：測定器具本体、２：水平光学モジュール、３：鉛直光学モジュール、１１：上盤、１２：固定台、１３：ベース、２１：台座、２２：ブラシレスモータ、２３：屈折レンズ、３１：透孔、１１１：ねじ穴、１２１：斜面、１２２：モジュール係止穴、１２３：モジュール螺着穴、１２４：螺着子、１２５：貫通孔、１２６：螺着子
【図１】
0003141895.tif 000003
【図２】
0003141895.tif 000004
【図３】
0003141895.tif 000005
【図４】
0003141895.tif 000006
【図５】
0003141895.tif 000007
【図６】
0003141895.tif 000008